(57)【特許請求の範囲】
【請求項１】
上端部に物を引っ掛けるための凹溝を有し、室内の壁面に水平方向へ延びるように取り付けられる長尺板状の長押であって、
長尺板状の長押本体と、前記長押本体の上部に接合され、前記凹溝を構成する凹溝構成部材とを備えており、
前記凹溝構成部材は、弾性を有し、且つ、前記凹溝の壁面側の溝壁を構成する溝壁構成部を有しており、前記溝壁構成部の背面が前記壁面に弾性的に当接される、長押。
【請求項２】
前記長押本体は軟質材料で形成されており、前記凹溝構成部材は硬質材料で形成されている、請求項１記載の長押。
【請求項３】
前記溝壁構成部の内面は、前記凹溝の底部から上方へ向かうにつれて前記壁面に近づくように傾斜している、請求項１または２記載の長押。
【請求項４】
前記長押本体の上面には、長手方向へ延びる嵌合溝が形成されており、前記凹溝構成部材の下面には、前記嵌合溝に嵌合される嵌合突部が形成されている、請求項１ないし３のいずれかに記載の長押。
【請求項５】
前記長押本体の上面には、固定用金具の頭部を収容する収容溝が形成されており、前記凹溝構成部材によって前記収容溝が隠される、請求項１ないし４のいずれかに記載の長押。
【請求項６】
前記長押本体の上面には、少なくとも水平部と該水平部の前方において上方へ突出した突出部とが形成されており、
前記長押本体の上部に接合された前記凹溝構成部材の前記溝壁構成部の上端位置が前記突出部の上端位置よりも高い位置に設定されている、請求項１ないし５のいずれかに記載の長押。
【発明の詳細な説明】
【技術分野】
【０００１】
本発明は、室内の壁面に取り付けられる長押に関し、特に、ハンガー等を引っ掛けるための凹溝を有する長押に関する。
【背景技術】
【０００２】
一般住宅においては、室内を美しく見せること等を目的として、壁面に長押を取り付けることが行われており、従来では、長押の上部背面と壁面との間に隙間を確保したり、長押の上端部に凹溝を形成したりすることで、長押にハンガー等を引っ掛ける機能を持たせていた（特許文献1参照）。
【０００３】
しかし、長押の上部背面と壁面との間に隙間を確保した場合には、この隙間に引っ掛けられたハンガー等の先端が長押と壁面との間にめり込もうとするため、長押と壁面との間に不所望に隙間が生じるおそれがあった。
【０００４】
また、長押の上端部に凹溝を形成した場合には、凹溝に引っ掛けられたハンガー等の先端が凹溝の底面に当たるため、長押が中質繊維板（ＭＤＦ）等の軟らかい材料で形成されている場合には、長押が傷付けられたり、長押に層間剥離が生じたりするおそれがあった。
【特許文献１】特開２００１−２４８２９２号
【発明の開示】
【発明が解決しようとする課題】
【０００５】
それゆえに、本発明の主たる課題は、長押と壁面との間に隙間が生じるのを防止でき、また、ハンガー等の先端で傷付けられたり、層間剥離が生じたりするのを防止できる、長押を提供することである。
【課題を解決するための手段】
【０００６】
請求項１に記載した発明は、「上端部に物１４を引っ掛けるための凹溝１６を有し、室内の壁面１２に水平方向へ延びるように取り付けられる長尺板状の長押１０であって、長尺板状の長押本体２２と、前記長押本体２２の上部に接合され、前記凹溝１６を構成する凹溝構成部材２４とを備えており、凹溝構成部材２４は、弾性を有し、且つ、凹溝１６の壁面１２側の溝壁１６ｂを構成する溝壁構成部４４を有しており、溝壁構成部４４の背面が壁面１２に弾性的に当接される、長押１０」である。
【０００７】
この発明では、長押本体２２と凹溝構成部材２４とを別部材として形成しているので、長押本体２２と凹溝構成部材２４とに異なる特徴を持たせることができる。たとえば、長押本体２２を加工が容易な材料で形成するとともに、凹溝構成部材２４を耐久性に優れた傷付き難い材料で形成することができる。しかも、溝壁構成部４４の背面が壁面１２に弾性的に当接されるので、長押１０と壁面１２との間に隙間が生じるのを確実に防止できる。
【０００８】
請求項２に記載した発明は、請求項１に記載した「長押１０」において、「前記長押本体２２は軟質材料で形成されており、前記凹溝構成部材２４は硬質材料で形成されている」ことを特徴とする。
【０００９】
この発明は、「長押１０」を構成する「長押本体２２」および「凹溝構成部材２４」の材料を限定したものであり、凹溝構成部材２４を硬質材料で形成しているので、凹溝１６にハンガー等１４の先端を引っ掛けた場合でも、凹溝１６が損傷することはなく、また、長押本体２２が損傷（層間剥離等）することもない。なお、「軟質材料」としては、中質繊維板（ＭＤＦ）、合板または無垢の木材等を例示することができ、「硬質材料」としては、硬質樹脂（ＡＢＳ、ポリプロピレン、ポリスチレン）または金属（アルミニウム）等を例示することができる。
【００１０】
請求項３に記載した発明は、請求項１または２に記載した「長押１０」において、「前記溝壁構成部４４の内面は、前記凹溝１６の底部から上方へ向かうにつれて前記壁面１２に近づくように傾斜している」ことを特徴とする。
【００１１】
この発明では、溝壁構成部４４の内面が傾斜しているので、ハンガー等１４の先端をこの傾斜面に沿わせて凹溝１６の底部へスムーズに導くことができる。
【００１２】
請求項４に記載した発明は、請求項１ないし３のいずれかに記載した「長押１０」において、「前記長押本体２２の上面には、長手方向へ延びる嵌合溝４０が形成されており、前記凹溝構成部材２４の下面には、前記嵌合溝４０に嵌合される嵌合突部５０が形成されている」ことを特徴とする。
【００１３】
この発明では、嵌合溝４０に嵌合突部５０を嵌合するだけで、長押本体２２に凹溝構成部材２４を簡単に取り付けることができる。
【００１４】
請求項５に記載した発明は、請求項１ないし４のいずれかに記載した「長押１０」において、「前記長押本体２２の上面には、固定金具３０の頭部３０ａを収容する収容溝３２が形成されており、前記凹溝構成部材２４によって前記収容溝３２が隠される」ことを特徴とする。
【００１５】
この発明では、固定金具３０の頭部３０ａを収容溝３２内に収容して、凹溝構成部材２４で覆い隠すことができるので、見栄えを良くすることができる。
【００１６】
請求項６に記載した発明は、請求項１ないし５のいずれかに記載した「長押１０」において、「長押本体２２の上面には、少なくとも水平部３６と該水平部３６の前方において上方へ突出した突出部３８とが形成されており、長押本体２２の上部に接合された凹溝構成部材２４の溝壁構成部４４の上端位置が突出部３８の上端位置よりも高い位置に設定されている」ことを特徴とする。
【００１７】
この発明によれば、壁面１２を物（ハンガー等）１４の先端から保護する効果がより高められる。
【発明の効果】
【００２０】
請求項１〜６に記載した発明によれば、長押本体２２と凹溝構成部材２４とを別部材として形成しているので、たとえば、長押本体２２を中質繊維板（ＭＤＦ）、合板または無垢の木材等の軟らかい材料で形成することによって加工性を高めることができ、凹溝構成部材２４を硬質樹脂（ＡＢＳ、ポリプロピレン、ポリスチレン）または金属（アルミニウム）等の耐久性に優れた硬質の材料で形成することによってハンガー等１４の先端を引っ掛けた際の損傷を防止することができる。
【発明を実施するための最良の形態】
【００２１】
図１は、本発明が適用された長押１０を示す分解正面図であり、図２は、長押１０を示す分解斜視図である。
【００２２】
この長押１０は、図３に示すように、室内の壁面１２に水平方向へ延びるように取り付けられる長尺板状の部材であり、上端部に物（ハンガー等）１４を引っ掛けるための凹溝１６を有している。壁面１２は、具体的には、柱１８に固定された壁板２０の表面であり、壁板２０の表面に化粧シート等が貼着されている場合には、その化粧シート等の表面が壁面１２となる。
【００２３】
長押１０は、図１および図２に示すように、長尺板状の長押本体２２と、長押本体２２の上部に接合され、凹溝１６を構成する凹溝構成部材２４とを備えている。
【００２４】
長押本体２２（図１、図２）は、中質繊維板（ＭＤＦ）、合板または無垢の木材等のような加工が容易な軟質材料によって形成された長尺板状部材であり、長押本体２２の背面は、壁面１２に当接し得るように平坦に形成されており、長押本体２２の前面は、所定角度で傾斜した段差部２２ａを介して上下２段に形成されている。そして、段差部２２ａより下方の下段部２６の厚さは、段差部２２ａより上方の上段部２８の厚さよりも薄く設定されており、上段部２８の前面には、釘等の固定金具３０の頭部３０ａを収容する収容溝３２が長手方向へ延びて形成されている。
【００２５】
また、上段部２８の背面上端部は、略４５度の角度で面取りされており、上段部２８の上面（すなわち、長押本体２２の上面）には、面取りされた部分（以下、「面取り部」という。）３４と連続する水平部３６と、この水平部３６の前方において上方へ突出した突出部３８とが形成されており、水平部３６には、凹溝構成部材２４を接合するための嵌合溝４０が長手方向へ延びて形成されている。
【００２６】
さらに、下段部２６の前面下端部および上段部２８の前面上端部（すなわち、突出部３８の前面上端部）は、略４５度の角度で小さく面取りされている。
【００２７】
凹溝構成部材２４（図１、図２）は、硬質樹脂（ＡＢＳ、ポリプロピレン、ポリスチレン）または金属（アルミニウム）等のような耐久性に優れた硬質材料で形成された長尺部材であり、略Ｖ状の凹溝１６の溝壁１６ａおよび１６ｂを構成する溝壁構成部４２および４４と、長押本体２２の嵌合溝４０に嵌合される嵌合部４６とを備えている。なお、凹溝構成部材２４の材質は、耐久性に優れた損傷し難いものであればよく、硬質材料に代えて、たとえばゴム等が用いられてもよい。
【００２８】
突出部３８側となる溝壁１６ａを構成する溝壁構成部４２は、面取り部３４の上面に沿って配設される長尺板状に形成されており、壁面１２側となる溝壁１６ｂを構成する溝壁構成部４４は、壁面１２に沿って配設される長尺板状に形成されており、溝壁構成部４２の幅方向一方側縁と溝壁構成部４４の幅方向一方側縁とが、凹溝１６の底部において連結されている。そして、溝壁構成部４４の上部４４ａは、溝壁構成部４４の背面が壁面１２と弾性的に当接可能なように壁面１２側へやや傾斜して形成されている。また、溝壁構成部４４の内面は、凹溝１６の底部から上方へ向かうにつれて壁面１２に近づくように傾斜して形成されている。なお、この実施例では、溝壁構成部４４の上部４４ａだけが壁面１２側へやや傾斜して形成されているが、溝壁構成部４４の全体が壁面１２側へやや傾斜して形成されてもよい。また、溝壁構成部４４の背面を壁面１２に確実に当接させるためには、本実施例のように溝壁構成部４４が弾性を有していることが望ましいが、加工精度を高めること等によって、溝壁構成部４４の背面と壁面１２との間に隙間が生じる問題を解消できる場合には、溝壁構成部４４が弾性を有することは必ずしも必要ではない。
【００２９】
嵌合部４６は、溝壁構成部４２の幅方向他方側縁から延びて形成された嵌合部本体４８と、嵌合部本体４８の下面から下方へ突出して形成された嵌合突部５０とによって構成されている。嵌合突部５０は、長押本体２２の嵌合溝４０に沿って延びる長尺板状の突条５０ａと、突条５０ａの両面に上下２段に形成された係止突起５０ｂとを有しており、嵌合突部５０の最大厚さ（係止突起５０ｂの先端間の間隔）は、嵌合溝４０の幅よりもやや大きく設定されている。したがって、嵌合突部５０を嵌合溝４０に嵌合した際には、係止突起５０ｂの先端が嵌合溝４０の両壁面に当接されることになる。
【００３０】
長押本体２２や凹溝構成部材２４の表面が装飾的に美しく仕上げられている場合には、装飾性を付与することなくそのまま使用してもよいが、そうでない場合や、より積極的に装飾性を付与したい場合には、図４または図５に示すように、長押１０の表面に化粧シート５２を貼着してもよい。
【００３１】
図４は、長押本体２２に凹溝構成部材２４を取り付ける作業を工場で行う場合に適用可能な化粧シート５２の貼着態様を示したものであり、この貼着態様では、長押本体２２および凹溝構成部材２４の両方が化粧シート５２で覆われる。一方、図５は、長押本体２２に凹溝構成部材２４を取り付ける作業を現場で行う場合に適用可能な化粧シート５２の貼着態様を示したものであり、この貼着態様では、工場にて長押本体２２だけが化粧シート５２で覆われる。図５に示した貼着態様では、長押本体２２と凹溝構成部材２４との見かけ上の一体感が弱くなるが、本実施例では、長押本体２２の突出部３８（図３）によって凹溝構成部材２４が隠されるので、凹溝構成部材２４によって美観が損なわれる心配はない。
【００３２】
長押１０を壁面１２に取り付ける際には、図３に示すように、長押本体２２を壁面１２に対して位置決めし、その後、収容溝３２から固定金具３０を打ち込むことによって、長押本体２２を柱１８または壁板２０に固定する。凹溝構成部材２４を予め長押本体２２に取り付けている場合には、長押本体２２を壁面１２に固定した段階で取り付け作業が完了するが、凹溝構成部材２４を長押本体２２に現場にて取り付ける場合には、長押本体２２を壁面１２に固定した後、長押本体２２に凹溝構成部材２４を取り付けるようにしてもよい。取り付け作業が完了した状態では、凹溝構成部材２４における溝壁構成部４４の背面が壁面１２に対して弾性的に当接するので、長押１０と壁面１２との間に不所望に隙間が生じることはない。
【００３３】
長押１０に物（ハンガー等）１４を引っ掛ける際には、図３に示すように、物（ハンガー等）１４の先端が凹溝１６の底面に当接される。したがって、その先端によって長押本体２２が傷付けられる心配はなく、また、壁面１２が傷付けられる心配もない。物（ハンガー等）１４の先端から壁面１２を保護する効果は、溝壁構成部４４の高さを高くするほど有効となる。したがって、凹溝構成部材２４における溝壁構成部４４の上端位置は、図６に示すように、突出部３８の上端位置よりも高い位置に設定されてもよい。
【００３４】
また、長押本体２２および凹溝構成部材２４の形状は、特に限定されるものではなく、図７に示すように、適宜変更されてもよい。図７に示した長押１０は、長押本体２２の前面を下方に向かうにつれて壁面１２に近づくような曲面に形成するとともに、凹溝構成部材２４の凹溝１６を略Ｕ状に形成したものである。
【００３５】
また、上述の実施例では、長押本体２２の前面に収容溝３２を形成し、この収容溝３２から固定金具３０を打ち込むようにしているが、図８に示すように、長押本体２２の上面に固定金具３０の頭部３０ａを収容する収容溝３２を形成し、この収容溝３２から固定金具３０を斜めに打ち込むようにしてもよい。この場合には、凹溝構成部材２４によって収容溝３２および固定金具３０の頭部３０ａを隠すことができるので、見栄えを良くすることができる。ただし、この場合には、長押本体２２の上面に収容溝３２を形成する必要があるため、上段部２８の上面（すなわち、長押本体２２の上面）に面取り部３４（図１）を形成することは困難であり、略Ｕ状の凹溝１６を有する凹溝構成部材２４を用いることが望ましい。また、この場合には、凹溝構成部材２４を予め長押本体２２に取り付けておくことができないので、凹溝構成部材２４の取り付けは現場施工となる。
【００３６】
さらに、上述の実施例では、長押本体２２に凹溝構成部材２４を取り付ける際に、嵌合溝４０に嵌合突部５０を嵌合するようにしているが、このような嵌合構造に代えて、接着剤で取り付けるようにしてもよいし、嵌合構造と接着剤とを併用して取り付けるようにしてもよい。
【図面の簡単な説明】
【００３７】
【図１】長押を示す分解正面図
【図２】長押を示す分解斜視図
【図３】長押の使用状態を示す正面図
【図４】化粧シートの貼着態様（工場施工）を示す正面図
【図５】化粧シートの貼着態様（現場施工）を示す正面図
【図６】凹溝構成部材の変形例を示す正面図
【図７】他の長押を示す正面図
【図８】図７に示した長押の使用状態を示す正面図
【符号の説明】
【００３８】
１０…  長押
１２…  壁面
１４…  物（ハンガー等）
１６…  凹溝
１６ａ，１６ｂ…  溝壁
１８…  柱
２０…  壁板
２２…  長押本体
２４…  凹溝構成部材
２６…  下段部
２８…  上段部
３０…  固定金具
３０ａ…  頭部
３２…  収容溝
３４…  面取り部
３６…  水平部
３８…  突出部
４０…  嵌合溝
４２，４４…  溝壁構成部
４６…  嵌合部
４８…  嵌合部本体
５０…  嵌合突部
５０ａ…  突条
５０ｂ…  係止突起
５２…  化粧シート
【図１】
0004711888.tif 000002
【図２】
0004711888.tif 000003
【図３】
0004711888.tif 000004
【図４】
0004711888.tif 000005
【図５】
0004711888.tif 000006
【図６】
0004711888.tif 000007
【図７】
0004711888.tif 000008
【図８】
0004711888.tif 000009